(57)【要約】      （修正有）【課題】デジタル放送などの映像コンテンツの視聴時に、ユーザーの音量操作から周囲環境を予測し、ユーザーの意図に応じて字幕を表示させることができる映像表示装置を提供する。【解決手段】映像表示装置１は、入力された映像コンテンツに含まれる映像情報に字幕情報を重畳する画像処理部と、映像情報を表示する画像表示部と、映像コンテンツに付加された字幕情報を画像処理部に出力する字幕情報処理部と、映像コンテンツに含まれる音声情報の音量を変化させる音声処理部と、音声情報を再生する音声出力部と、音量を設定する音量設定手段と、音量の所定時間当たりの変化量を検出する音量設定監視部と、変化量を用いて字幕情報処理部と音声処理部とを制御する制御部とを有する。制御部は、変化量が所定の値を超えた場合は字幕情報を画像表示部に表示させる。【選択図】図１
2018148381.tif 000002
【特許請求の範囲】
【請求項１】
入力された映像コンテンツに含まれる映像情報に字幕情報を重畳する画像処理部と、
前記映像情報を表示する画像表示部と、
前記映像コンテンツに付加された前記字幕情報を前記画像処理部に出力する字幕情報処理部と、
前記映像コンテンツに含まれる音声情報の音量を変化させる音声処理部と、
前記音声情報を再生する音声出力部と、
前記音量を設定する音量設定手段と、
前記音量の所定時間当たりの変化量を検出する音量設定監視部と、
前記変化量を用いて前記字幕情報処理部と前記音声処理部とを制御する制御部とを有し、
前記制御部は、前記変化量が所定の値を超えた場合は前記字幕情報を前記画像表示部に表示させることを特徴とする、映像表示装置。
【請求項２】
前記音量設定手段はキースイッチまたはリモコンで構成され、
前記音量設定監視部は、前記キースイッチまたは前記リモコンにて設定された前記音量を監視することを特徴とする、請求項１記載の映像表示装置。
【請求項３】
現在時刻情報を出力する時刻情報管理部をさらに有し、
前記制御部は前記現在時刻情報が所定の時間帯である場合、前記音量を低減させるとともに、前記字幕情報を前記画像表示部に表示させることを特徴とする請求項１または請求項２に記載の
映像表示装置。
【請求項４】
前記時間帯の開始時間と終了時間を設定する時間帯設定手段を有する請求項３記載の映像表示装置。
【発明の詳細な説明】
【技術分野】
【０００１】
本発明は、映像コンテンツに含まれた字幕情報の表示が可能である映像表示装置に関する。
【背景技術】
【０００２】
デジタル放送などの映像コンテンツには字幕情報が含まれており、そのコンテンツを表示可能な液晶テレビなどの映像表示装置は、コンテンツに含まれた字幕情報を画面に表示させることが可能である。このような映像表示装置の字幕情報の表示には、都度リモコンなどによる操作が必要となるという問題があった。
【０００３】
このような問題を解決する手段として、従来の映像表示装置では、設定音量に対して閾値を設け、音量設定がその閾値を下回った時に字幕表示の設定がオフであっても字幕を表示させる手段が開示されている（例えば特許文献１）。
【先行技術文献】
【特許文献】
【０００４】
【特許文献１】特開２００６―２７９５９２公報
【発明の概要】
【発明が解決しようとする課題】
【０００５】
しかしながら、上記した従来の映像表示装置では、音量の設定が閾値を下回った時はかならず字幕が表示されてしまい、周囲の環境が静かであるために音量を下げた場合でも、ユーザーの意図に反して字幕が表示されてしまうという問題があった。
【０００６】
この発明は、上記した問題点を解決するためになされたものであり、映像コンテンツ視聴中ユーザーの意図に応じて字幕を表示させることができる映像表示装置を得ることを目的とする。
【課題を解決するための手段】
【０００７】
入力された映像コンテンツに含まれる映像情報に字幕情報を重畳する画像処理部と、
映像情報を表示する画像表示部と、
映像コンテンツに付加された字幕情報を画像処理部に出力する字幕情報処理部と、
映像コンテンツに含まれる音声情報の音量を変化させる音声処理部と、
音声情報を再生する音声出力部と、
音量を設定する音量設定手段と、
音量の所定時間当たりの変化量を検出する音量設定監視部と、
変化量を用いて字幕情報処理部と音声処理部とを制御する制御部とを有し、
制御部は、変化量が所定の値を超えた場合は字幕情報を画像表示部に表示させる。
【発明の効果】
【０００８】
本発明によれば、コンテンツ視聴中ユーザーの意図に応じて字幕を表示させることができる映像表示装置を得ることを目的とする。
【図面の簡単な説明】
【０００９】
【図１】この発明の実施の形態１における映像表示装置の構成を示すブロック図である。
【図２】この発明の実施の形態１における映像表示装置の字幕表示に関する動作フロー図である。
【図３】この発明の実施の形態２における映像表示装置の構成を示すブロック図である。
【発明を実施するための形態】
【００１０】
実施の形態１．
実施の形態１について、図１および図２を用いて説明する。図１は本実施の形態１における映像表示装置１の構成を示すブロック図である。図において、映像表示装置１は、字幕情報処理部６、音量設定監視部１１、画像処理部１２、画像表示部１３、音声処理部１４、音声出力部１５、制御部２１から構成される。
【００１１】
放送局側で作成された映像情報及び音声情報は、映像コンテンツとして放送局から家庭のテレビに配信されたり、ＤＶＤやＢＤ等の記録媒体にて供給されたりする。放送局から配信される映像コンテンツは、放送波を介して映像表示装置１にこの映像コンテンツを送信するために変調処理を施したのち、放送波として出力する。チューナ３はアンテナ２で受信した放送波から所望の放送局の放送波を受信し、放送波復調部４に入力する。放送波復調部４は、放送局側で行った変調処理を復調するための復調処理を行ったのち、復調されたデータは、例えば２Ｋ放送の場合はＴＳ(Ｔｒａｎｓｐｏｒｔ  Ｓｔｒｅａｍ)形式であることから、映像/音声信号デコーダ部５にて映像情報と音声情報を分離する。この後、映像情報は画像処理部１２、音声情報は音声処理部１４で各種処理を行う。画像処理部１２は映像情報に対し、字幕情報処理部６から出力された字幕情報を重畳したのち画像表示部１３に出力する。
【００１２】
画像表示部１３は例えば液晶パネルで構成され、画像処理部１２からの映像情報を液晶パネルに表示する。字幕情報処理部６は、放送波復調部４から出力されるＴＳ形式のデータ内に映像情報、音声情報とともに付加されている字幕情報をＴＳ形式のデータの中から抽出し、制御部２１の制御信号に基づいて画像処理部１２に出力する。
映像/音声信号デコーダ部５から出力された音声情報は音声処理部１４に入力される。音声処理部１４は入力された音声情報に対し、制御部２１の制御信号に基づいて処理が施されたのち、音声出力部１５に音声を出力する。音声出力部１５は、たとえば液晶テレビに内蔵されているスピーカ等で構成され、入力された音声を再生する。
【００１３】
キースイッチ１８は、例えばユーザーが音声出力部１５にて再生される音量を設定変更する音量設定手段の一つである。キースイッチ１８は映像表示装置１、例えば液晶テレビでは画面下部や側面など映像視聴中に操作しやすい場所に設けられており、キースイッチ１８を操作した際に出力する信号は、本体キー処理部９に入力される。本体キー処理部９は、キースイッチ１８から入力された信号から、ユーザーが音量を変更するために行った音量設定の変更量を、音量設定監視部１１に送る。リモコン１９は、キースイッチ１８とともに音量設定手段の一つで、映像表示装置１の各種設定情報（例えばキースイッチ１８と同様に音量設定変更や、字幕情報のＯＮ／ＯＦＦ切替等を行う）を映像表示装置１から離れた場所にて行う。リモコン１９上に構成された押しボタンによる各種設定情報は、赤外線に変換されたのち受光部２０に向けて送出される、受光部２０は受信した赤外線を制御信号に変換した後、制御信号をリモコン信号処理部１０に出力する。リモコン信号処理部１０は、リモコン１９で設定された各種設定情報のうち、音量に関する情報のみ音量設定監視部１１に送る。
【００１４】
音量設定監視部１１は、本体キー処理部９や、リモコン信号処理部１０にて音量設定が行われたことを監視するとともに、単位時間内に規定回数以上音量設定の変化がなされた場合、例えばリモコン１９上に設けられた音量ＵＰ／ＤＯＷＮボタンのＵＰ、またはＤＯＷＮのボタンが一定時間押された場合は、音量設定が変更されたことと、その際の音量設定の変化量を制御部２１に通知する。
ここでユーザーが液晶テレビにて放送波を視聴している場合、周囲にいる人の声がうるさいなどといった理由で音量を上げる場合を考える。ユーザーの周囲の騒音レベルにもよるが、このような場合ユーザーはリモコン１９またはキースイッチ１８のいずれかから音量の設定を短時間に数段階上げて、音声を聞き取ろうとする。音量設定監視部１１は、所定時間の間に音量設定がどの程度変化したかを検出する。例えば上記のように周囲がうるさくてユーザーが音量を上げた場合、音量設定監視部１１は所定時間内に音量設定が何段階上ったかを検出し、制御部２１に対して音量の増減量の情報を出力する。
前記のようにユーザーが音量を瞬間的にアップさせた場合に対して、急な電話などで液晶テレビの音が邪魔である場合は、ユーザーはリモコン１９やキースイッチ１８を操作して音量設定を数段階下げるか、あるいは音量設定をミュート（消音）状態にすることが想定される。そのような場合も、音量設定監視部１１は制御部２１に対して音量の減少量の情報を出力する。
【００１５】
制御部２１は、音量設定監視部１１から出力された音量の変化量が所定の値を超えた場合は、音声処理部１４に音量を変化させる制御信号を送るのと同時に、字幕情報処理部６に対して、字幕情報を画像処理部１２に出力させるための制御信号を送る。この結果、字幕情報処理部６は画像処理部１２に字幕情報を送出し、画像処理部１２にて映像情報に字幕情報を重畳させ、画像表示部１３に映像情報と共に字幕情報が表示される。一方、音声処理部１４では、制御部２１からの制御信号によって、音声出力部１５にて再生される音声の音量を増減する。
【００１６】
次に、映像表示装置１の字幕表示に関する動作の一例を、図２を用いて説明する。図２は映像表示装置１の字幕情報の表示に関する動作フロー図である。音量設定監視部１１から出力される音量設定情報（音量設定が変更されたこと、及び単位時間当たりの音量変化量）は制御部２１に入力される。制御部２１は、この音量設定情報から音量設定が変更されたか否かを検出する（Ｓ０）。Ｓ０で音量設定の変更を検出されなかった場合は、音量設定監視部１１から音量設定変更の情報が入力されるまで音量設定情報を検出し続ける。Ｓ０にて音量設定に変更があったと検出した場合、音量変化量を検出する（Ｓ１）。ユーザーが単位時間、例えば１秒間に音声設定を３段階以上変化させた場合は、映像表示装置１にて再生される音声を大きくしてすぐに音声を聞き取りたい場合か、音声が再生されては困る場合のいずれかの場合と判断し、字幕情報処理部６に字幕情報を表示するよう指示するとともに、音声出力部１５にて再生される音声をユーザーの指示通りの音量に設定する（Ｓ２）。Ｓ１でユーザーによる単位時間当たりの音量設定量が２段階以下である場合は、ユーザーは特に急いで音量を変化させようとしていないため字幕情報の表示も不要と判断し、Ｓ０に戻って音量設定監視部１１からの音量設定変更を検出し続ける。Ｓ２にて字幕情報処理部６に字幕情報の表示が指示されると、字幕情報処理部６は画像表示部１３に現在再生されている映像情報に関する字幕情報を出力し、画像処理部１２は映像情報に字幕情報を重畳したのち（Ｓ３）、画像表示部１３に映像情報を出力する。この結果、画像表示部１３では映像情報とともに字幕情報が表示される（Ｓ４）。
【００１７】
本実施の形態においては、ユーザーが映像コンテンツの視聴時に行った音量調整の増減量を検知して、一定以上の増減があった場合には、ユーザーがすぐ音声出力部１５にて再生されている音声の情報を知りたいか、あるいは音量は下げたいものの音声の情報は知りたい場合のいずれかであると判断し字幕情報を表示するので、ユーザーは知りたい音声情報の内容を字幕にて瞬時に認識することができる。
また、映像表示装置１を視聴しているユーザーの視聴環境が、ユーザーの音量設定状況から判断できるので、マイクロホン等を新たに設けてユーザー周囲の騒音量など視聴環境を検出する必要がないことから、安価にてユーザーの希望にかなった音声情報をユーザーに提供することができる。
【００１８】
なお、上記の説明では所定時間を１秒に設定し、この間にユーザーが３段階以上音量を変化させた場合を字幕表示が必要な場合としたが、所定時間量や音量変化量は他の値でもよく、ユーザーの視聴環境等により最適な値を設定してもよい。さらにこれらの設定量をリモコン１９やキースイッチ１８にて設定できるように構成してもよい。
【００１９】
また、図１は液晶テレビを例にとって説明したので、放送受信用のチューナ３が搭載されているが、チューナ３に限らず、字幕情報を持った映像コンテンツを再生できる機器からの情報が入力される場合も、同様に実現できる。例えばＨＤＤ１６に録画されたコンテンツや、ＢＤ再生時のＢＤドライブ１７に記録されている映像コンテンツを直接映像/音声信号デコーダ部５に入力することにより、上記説明の放送波を再生する場合と同様に字幕を表示することができる。
【００２０】
実施の形態２
この発明の実施の形態２における映像表示装置１００について、図３を用いて説明する。図３における図１との差異は、時刻情報管理部７を新たに設け、時刻情報管理部７が出力する現在時刻情報を制御部２１に入力することにより、制御部２１は音量設定監視部１１から出力される音量の変化量と現在時刻情報とを用いて字幕情報の表示を制御するようにしたものであり、他の構成については図１と同一符号は同一機能を有する。
デジタル放送の放送波には映像コンテンツとともに現在時刻情報が送信されるので、時刻情報管理部７は、この現在時刻情報を定期的に取得する。なお、現在時刻情報については例えばタイマーを用いて、放送波から現在時刻情報を一回だけ受信後、以後の時刻はタイマーをカウントさせるように構成してもよい。時刻情報管理部７から出力される現在時刻情報は制御部２１に入力される。制御部２１はこの現在時刻情報をもとに、字幕情報処理部６および音声処理部１４を制御する。
【００２１】
次に映像表示装置１００における現在時刻情報を用いた字幕情報の表示方法について説明する。ここでは映像表示装置１００を視聴する時間帯として、午前０時〜午前６時を周囲の住宅環境に対して騒音などの配慮が必要な深夜時間帯と設定し、それ以外の午前６時から深夜１２時までを映像表示装置１００を通常の音量で視聴可能な昼間時間帯と設定した場合について説明する。
最初に時間帯設定手段として例えばキースイッチ１８またはリモコン１９によって深夜時間帯の開始時間と終了時間を設定する。ここでは深夜時間帯の開始時間を午前０時、終了時間と午前６時と設定されるので、キースイッチ１８にて設定された設定値およびリモコン１９によって設定された設定値は、リモコン信号処理部１０及び本体キー処理部９を介して制御部２１に出力されるので、制御部２１は深夜時間帯が午前０時から午前６時に設定されたことがわかる。制御部２１は、時刻情報管理部７から出力される現在時刻情報と、深夜時間帯の設定値を比較し、現在時刻が深夜時間帯に該当する場合は、音声処理部１４に対し音声出力部１５にて再生される音量を低減させるよう指示するとともに、字幕情報処理部６に対して現在表示している映像情報に字幕情報を重畳して表示するよう指示する。なお、現在時刻が深夜時間帯に該当しない場合は、実施の形態１において図２の動作と同様に、映像表示装置１００はリモコン１９またはキースイッチ１８の操作による音量の変化量により字幕情報の表示を制御する。
【００２２】
本実施の形態においては、昼間時間帯においてはユーザーが映像コンテンツの視聴時に行った音量調整の増減量を検知して、一定以上の増減があった場合には、ユーザーがすぐ音声出力部１５にて再生されている音声の情報を知りたいか、あるいは音量は下げたいものの音声の情報は知りたい場合のいずれかであると判断し字幕情報を表示するので、ユーザーは知りたい音声情報の内容を字幕にて瞬時に認識することができる。
さらに深夜時間帯においては、現在時刻情報とあらかじめ設定された深夜時間帯の情報とを比較して、現在時刻が深夜時間帯である場合は、音声出力部１５にて再生させる音量を低減させるとともに、字幕情報処理部６に現在再生中の映像コンテンツの字幕情報を表示させるように動作する。この結果、深夜時間帯においては、近隣に迷惑をかけないよう音量を下げた状態でも音声の内容を把握することができる。
【００２３】
なお、図１は液晶テレビを例にとって説明したので、放送受信用のチューナ３が搭載されているが、チューナ３以外でも字幕情報を持った映像コンテンツを再生できる機器からの情報が入力される場合も、同様に実現できる。例えばＨＤＤ１６に録画されたコンテンツや、ＢＤ再生時のＢＤドライブ１７に記録されている映像コンテンツを、映像/音声信号デコーダ部５に入力することによりチューナ３を用いる場合と同様に実現できる。
【符号の説明】
【００２４】
１  映像表示装置
２  放送波受信アンテナ
３  チューナ
４  放送波復調部
５  映像／音声信号デコーダ部
６  字幕情報処理部
７  時刻情報管理部
９  本体キー処理部
１０  リモコン信号処理部
１１  音量設定監視部
１２  画像処理部
１３  画像表示部
１４  音声処理部
１５  音声出力部
１６  ＨＤＤ（ハードディスクドライブ）
１７  ＢＤドライブ
１８  キースイッチ
１９  リモコン
２０  受光部
２１  制御部
１００  映像表示装置
【図１】
2018148381.tif 000003
【図２】
2018148381.tif 000004
【図３】
2018148381.tif 000005